【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】  少なくとも、
（ａ）導電性支持体上に中間層、感光層及び保護層をこの順に形成してなる電子写真感光体と、
（ｂ）導電性及び弾性を有する表面に導電性微粉末を担持してなる帯電部材を有し、該帯電部材に電圧が印加されることにより該電子写真感光体を帯電する注入帯電手段と、
（ｃ）露光手段と、
（ｄ）少なくとも結着樹脂及び着色剤から形成され重量平均粒径が３μｍ以上１２μｍ以下であるトナーを用いる、ジャンピング現像方式の現像手段と、
（ｅ）転写手段と
を備え、該電子写真感光体と該帯電部材とが接触配置されている電子写真装置であって、
転写手段による転写の後に電子写真感光体の表面に残留したトナーを、帯電部材に一時担持させ、電子写真感光体を通して現像手段に回収させるトナーリサイクル構成を有する電子写真装置において、
該導電性微粉末の比表面積が、５．０×１０5ｃｍ2／ｃｍ3以上１．０×１０7ｃｍ2／ｃｍ3以下であり、
該導電性微粉末の体積基準のメジアン径Ｄ50が、０．４μｍ以上４．０μｍ以下かつ該トナーの重量平均粒径未満であり、
該中間層が、無機微粒子及びポリアミド樹脂を含有する層であり、
該保護層が、導電性微粒子を含有する樹脂層である
ことを特徴とする電子写真装置。
【請求項２】  前記導電性微粉末の体積抵抗率が１．０×１０-1Ω・ｃｍ以上１．０×１０9Ω・ｃｍ以下である請求項１に記載の電子写真装置。
【請求項３】  前記導電性微粉末の体積基準のメジアン径Ｄ50が０．５μｍ以上３．５μｍ以下である請求項１又は２に記載の電子写真装置。
【請求項４】  前記導電性微粉末の体積基準のＤ90が４μｍ以下である請求項１〜３のいずれかに記載の電子写真装置。
【請求項５】  前記導電性微粉末の体積基準のＤ10が０．３μｍ以上である請求項１〜４のいずれかに記載の電子写真装置。
【請求項６】  前記導電性微粉末の比表面積が１．０×１０6ｃｍ2／ｃｍ3以上８．０×１０6ｃｍ2／ｃｍ3以下である請求項１〜５のいずれかに記載の電子写真装置。
【請求項７】  前記帯電部材の表面抵抗率が１．０×１０4Ω・□〜１．０×１０10Ω・□である請求項１〜６のいずれかに記載の電子写真装置。
【請求項８】  前記中間層が無機微粒子として酸化チタンを含有する請求項１〜７のいずれかに記載の電子写真装置。
【請求項９】  前記ポリアミド樹脂がアルコール可溶性の変性ポリアミド樹脂である請求項１〜８のいずれかに記載の電子写真装置。
【請求項１０】  少なくとも、
（ａ）導電性支持体上に中間層、感光層及び保護層をこの順に形成してなる電子写真感光体と、
（ｂ）導電性及び弾性を有する表面に導電性微粉末を担持してなる帯電部材を有し、該帯電部材に電圧が印加されることにより該電子写真感光体を帯電する注入帯電手段と、
（ｄ）少なくとも結着樹脂及び着色剤から形成され重量平均粒径が３μｍ以上１２μｍ以下であるトナーを用いる、ジャンピング現像方式の現像手段と
を一体に支持し、該電子写真感光体と該帯電部材とが接触配置されているプロセスカートリッジであって、
転写手段による転写の後に電子写真感光体の表面に残留したトナーを、帯電部材に一時担持させ、電子写真感光体を通して現像手段に回収させるトナーリサイクル構成を有する電子写真装置本体に着脱自在であるプロセスカートリッジにおいて、
該導電性微粉末の比表面積が、５．０×１０5ｃｍ2／ｃｍ3以上１．０×１０7ｃｍ2／ｃｍ3以下であり、
該導電性微粉末の体積基準のメジアン径Ｄ50が、０．４μｍ以上４．０μｍ以下かつ該トナーの重量平均粒径未満であり、
該中間層が、無機微粒子及びポリアミド樹脂を含有する層であり、
該保護層が、導電性微粒子を含有する樹脂層である
ことを特徴とするプロセスカートリッジ。
【請求項１１】  前記導電性微粉末の体積抵抗率が１．０×１０-1Ω・ｃｍ以上１．０×１０9Ω・ｃｍ以下である請求項１０に記載のプロセスカートリッジ。
【請求項１２】  前記導電性微粉末の体積基準のメジアン径Ｄ50が０．５μｍ以上３．５μｍ以下である請求項１０又は１１に記載のプロセスカートリッジ。
【請求項１３】  前記導電性微粉末の体積基準のＤ90が４μｍ以下である請求項１０〜１２のいずれかに記載のプロセスカートリッジ。
【請求項１４】  前記導電性微粉末の体積基準のＤ10が０．３μｍ以上である請求項１０〜１３のいずれかに記載のプロセスカートリッジ。
【請求項１５】  前記導電性微粉末の比表面積が１．０×１０6ｃｍ2／ｃｍ3以上８．０×１０6ｃｍ2／ｃｍ3以下である請求項１０〜１４のいずれかに記載のプロセスカートリッジ。
【請求項１６】  前記帯電部材の表面抵抗率が１．０×１０4Ω・□〜１．０×１０10Ω・□である請求項１０〜１５のいずれかに記載のプロセスカートリッジ。
【請求項１７】  前記中間層が無機微粒子として酸化チタンを含有する請求項１０〜１６のいずれかに記載のプロセスカートリッジ。
【請求項１８】  前記ポリアミド樹脂がアルコール可溶性の変性ポリアミド樹脂である請求項１０〜１７のいずれかに記載のプロセスカートリッジ。
【手続補正２】
【補正対象書類名】明細書
【補正対象項目名】００１２
【補正方法】変更
【補正の内容】
【００１２】
【課題を解決するための手段】
本発明に従って、少なくとも、
（ａ）導電性支持体上に中間層、感光層及び保護層をこの順に形成してなる電子写真感光体と、
（ｂ）導電性及び弾性を有する表面に導電性微粉末を担持してなる帯電部材を有し、該帯電部材に電圧が印加されることにより該電子写真感光体を帯電する注入帯電手段と、
（ｃ）露光手段と、
（ｄ）少なくとも結着樹脂及び着色剤から形成され重量平均粒径が３μｍ以上１２μｍ以下であるトナーを用いる、ジャンピング現像方式の現像手段と、
（ｅ）転写手段と
を備え、該電子写真感光体と該帯電部材とが接触配置されている電子写真装置であって、
転写手段による転写の後に電子写真感光体の表面に残留したトナーを、帯電部材に一時担持させ、電子写真感光体を通して現像手段に回収させるトナーリサイクル構成を有する電子写真装置において、
該導電性微粉末の比表面積が、５．０×１０5ｃｍ2／ｃｍ3以上１．０×１０7ｃｍ2／ｃｍ3以下であり、
該導電性微粉末の体積基準のメジアン径Ｄ50が、０．４μｍ以上４．０μｍ以下かつ該トナーの重量平均粒径未満であり、
該中間層が、無機微粒子及びポリアミド樹脂を含有する層であり、
該保護層が、導電性微粒子を含有する樹脂層である
ことを特徴とする電子写真装置が提供される。
また、本発明に従って、少なくとも、
（ａ）導電性支持体上に中間層、感光層及び保護層をこの順に形成してなる電子写真感光体と、
（ｂ）導電性及び弾性を有する表面に導電性微粉末を担持してなる帯電部材を有し、該帯電部材に電圧が印加されることにより該電子写真感光体を帯電する注入帯電手段と、
（ｄ）少なくとも結着樹脂及び着色剤から形成され重量平均粒径が３μｍ以上１２μｍ以下であるトナーを用いる、ジャンピング現像方式の現像手段と
を一体に支持し、該電子写真感光体と該帯電部材とが接触配置されているプロセスカートリッジであって、
転写手段による転写の後に電子写真感光体の表面に残留したトナーを、帯電部材に一時担持させ、電子写真感光体を通して現像手段に回収させるトナーリサイクル構成を有する電子写真装置本体に着脱自在であるプロセスカートリッジにおいて、
該導電性微粉末の比表面積が、５．０×１０5ｃｍ2／ｃｍ3以上１．０×１０7ｃｍ2／ｃｍ3以下であり、
該導電性微粉末の体積基準のメジアン径Ｄ50が、０．４μｍ以上４．０μｍ以下かつ該トナーの重量平均粒径未満であり、
該中間層が、無機微粒子及びポリアミド樹脂を含有する層であり、
該保護層が、導電性微粒子を含有する樹脂層である
ことを特徴とするプロセスカートリッジが提供される。